(57)【要約】      （修正有）【課題】安定して載置可能とした上で、良好な熱伝導性能を備える調理用容器を提供する。【解決手段】外側底部１０Ａに設けられた高台３に、調理用容器１の外側底部１０Ａと外側壁部１０Ｂとを連通する連通部４を形成した。調理用容器１は、ガスコンロＡの炎によって空焚きが行える耐熱性を有するセラミック製の鍋状のものであり、外側面１０及び内側面１１の全域を曲面とする平面円形状に形成されている。内側面１１の上下方向の中央部には、例えば、焼き芋等を調理（空焚き調理）する際の網１２等を載置する載置段部１３が形成されている。また、調理用容器１の開口端には、蓋２を支持するフランジ状の支持部１４が径方向外側に突設されている。【選択図】図１
0003155008.tif 000002
【実用新案登録請求の範囲】
【請求項１】
高台を備えた調理用容器であって、前記高台には、前記調理用容器の外側底部と外側壁部とを連通する連通部が備えられていることを特徴とする調理用容器。
【請求項２】
前記連通部は、前記外側底部と前記外側壁部とが同面となるように形成されていることを特徴とする請求項１記載の調理用容器。
【請求項３】
前記連通部が前記調理用容器の周方向に沿って複数備えられていることを特徴とする請求項１又は２記載の調理用容器。
【請求項４】
前記複数の連通部は、隣り合う全ての連通部の間隔が一定の間隔となるように配されていることを特徴とする請求項３記載の調理用容器。
【請求項５】
前記外側底部の中央に、ガスコンロに備えられた安全センサに接触する接触突起が備えられていることを特徴とする請求項１乃至４記載の調理用容器。
【請求項６】
前記接触突起が複数備えられ、該接触突起間を炎の流通空間としていることを特徴とする請求項５記載の調理用容器。
【考案の詳細な説明】
【技術分野】
【０００１】
本考案は、調理用容器に関し、特に、ガスコンロの直火による空焚き調理に用いることができる調理用容器に関する。
【背景技術】
【０００２】
ガスコンロの直火によって調理をする調理用容器には、煮る、炊く、蒸す等のように水分を使用した加熱調理以外にも、水分を使用しない空焚き調理にも使用できるものがある。この調理用容器は、いずれの調理法においても、食材に対して部分的に火が通り過ぎたり生焼け部分が生じたりしないように、熱の対流が起き易く、調理用容器に対して満遍なく熱伝導が行われるように、外側底部から外側壁部にわたる部位を曲面として形成した調理用容器が適している。ところが、このような調理用容器は、熱伝導が良好である反面、前記外側底部から外側壁部にわたる部位が曲面であるため、載置時における安定性が悪いという欠点がある。
【０００３】
調理用容器の載置時における安定性を確保するため、調理用容器の底部に高台と呼ばれる平面環状の脚部を備えることにより、載置したときの安定性を確保することが知られている（例えば、特許文献１参照）。しかしながら、この脚部を備えた調理用容器の場合、外側底部中央に作用して、この外側底部中央から調理用容器の曲面に沿って拡がろうとする炎に対して脚部が壁になるため、熱の対流が阻害されて調理用容器に対する熱伝導が効率よく行われないという問題がある。
【先行技術文献】
【特許文献】
【０００４】
【特許文献１】特開２００２−０１２４６９号公報
【考案の概要】
【考案が解決しようとする課題】
【０００５】
本考案は、このような問題に対処することを課題とするものである。すなわち、安定して載置可能とした上で、良好な熱伝導性能を備えることが本考案の目的である。
【課題を解決するための手段】
【０００６】
前記目的を達成するため、本考案にかかる調理用容器は、次の構成を少なくとも具備する。
【０００７】
すなわち、高台を備えた調理用容器であって、前記高台には、前記調理用容器の外側底部と外側壁部とを連通する連通部が備えられていることを特徴とする。
【０００８】
前記連通部は、前記外側底部と前記外側壁部とが同面となるように形成されていることを特徴とする。
【０００９】
前記連通部が複数備えられていることを特徴とする。
【００１０】
前記複数の連通部は、隣り合う全ての連通部の間隔が一定の間隔となるように配されていることを特徴とする。
【００１１】
前記外側底部の中央に、ガスコンロに備えられた安全センサに接触する接触突起が備えられていることを特徴とする。
【００１２】
前記接触突起が複数備えられ、該接触突起間を炎の流通空間としていることを特徴とする。
【考案の効果】
【００１３】
本考案によれば、安定して載置可能とした上で、良好な熱伝導性能を備えた調理用容器を提供することができる。
【図面の簡単な説明】
【００１４】
【図１】本考案にかかる調理用容器の断面図。
【図２】図１の底面図。
【考案を実施するための形態】
【００１５】
以下、本考案にかかる調理用容器を実施するための形態を図面に基づいて説明する。本実施形態の調理用容器１は、ガスコンロＡの炎によって空焚きが行える耐熱性を有するセラミック製の鍋状のものであり、外側面１０及び内側面１１の全域を曲面とする平面円形状に形成されている。内側面１１の上下方向の中央部には、例えば、焼き芋等を調理（空焚き調理）する際の網１２等を載置する載置段部１３が形成されている。また、調理用容器１の開口端には、蓋２を支持するフランジ状の支持部１４が径方向外側に突設されている。
【００１６】
蓋２は、空焚きが行える耐熱性を有するセラミック製のものであり、外側面２０及び内側面２１の全域を曲面とし、調理用容器１の径よりも若干小径な平面円形状に形成されている。蓋２の上部中央には取手２２が取り付けられ、開口端には、支持部１４に支持されるフランジ状の被支持部２３が径方向外側に突設されている。また、蓋２の開口端には、調理用容器１の内側面１１に嵌合する嵌合突起２４が突設されている。
【００１７】
調理用容器１及び蓋２の材質は、例示したセラミックに限られず、空焚きが行える耐熱性を有する材質の材料を用いることができる。また、調理用容器１及び蓋２の形状は、図示した形状に限られない。また、調理用容器１は、空焚き調理専用としたものでもよいし、空焚きを含み、煮る、炊く、蒸す等のように水分を使用した加熱調理も行えるものでもよい。
【００１８】
調理用容器１の外側底部１０Ａには、調理用容器１の載置時に安定性を確保する高台３が備えられている。
【００１９】
本実施形態では、高台３の内側を外側底部１０Ａとし、高台３の外側を外側壁部１０Ｂとして説明する。
【００２０】
高台３は、調理用容器１の軸心１００と同心とする仮想の円Ｂ（図２において一点差線で示す円）上に位置するように垂設されている。本実施形態の高台３は、円Ｂの軌跡に沿う円弧として形成された同形態（長さ、厚み、高さを同じ）とする３個の脚部３０から構成されている。
【００２１】
脚部３０は、各脚部３０の周方向中央部を通る円Ｂの経線Ｂ１間の角度が１２０度となるように配置することによって、周方向に沿う各脚部３０間の間隔が同間隔となるようにされている。また、各脚部３０の周方向に沿って対向する端縁３０Ａ間に、外側底部１０Ａと外側壁部１０Ｂとを連通する３個の連通部４が確保されている。
【００２２】
連通部４は、３個の脚部３０を垂設することにより、外側底部１０Ａと外側壁部１０Ｂとが同面として連通するようになっており、高台３内側の外側底部１０Ａに作用するガスコンロＡの炎が、連通部４から外側壁部１０Ｂ方向に吹き出るようになっている。
【００２３】
連通部４は、周方向に沿う各脚部３０間の間隔が周方向に沿って同間隔にされていることにより、周方向に同幅であり、かつ各連通部４間の間隔が周方向に沿って同間隔となっており、連通部４から外側壁部１０Ｂ方向に吹き出る炎を、同じ量で、かつ一方向に偏らせることなく３方向へ吹き出させるようになっている。
【００２４】
すなわち、連通部４により、高台３内側の外側底部１０Ａに作用するガスコンロＡの炎を、高台３内に留まらせることなく外側壁部１０Ｂにも作用させることができ、調理用容器１を満遍なく加熱することができる。また、ガスコンロＡの炎が高台３内側に留まらないため、この炎を高台３内側の外側底部１０Ａに集中させるようなことがなく、高台３内側の外側底部１０Ａの温度を過剰に上昇させるようなことを防止することができる。
【００２５】
高台３及び連通部４の個数は、例示した３個に限られない。また、高台３及び連通部４は、例示した形態に限られず、例えば、高台３を円筒状とするとともに、高台３の周壁を開口し、この開口を連通部４とした形態としてもよい（図示せず）。このような連通部４を備えた高台４の場合、連通部４の大きさ及び個数は、高台４の強度を損ねないとともに、ガスコンロＡからの炎が高台４の内側の外側底部１０Ａから外側壁部１０Ｂに効率的に吹き出るような大きさ及び個数とする。
【００２６】
高台３の内側における外側底部１０Ａの中心には、ガスコンロＡの安全センサＡ１に接触する接触突起５が複数設けられている。この接触突起５は、安全センサＡ１が調理用容器１の温度を検出するための被検出部位である。安全センサＡ１は、接触突起５に接触して調理用容器１の温度を検出しており、検出温度が一定以上である場合に、ガスコンロＡを自動的にＯＦＦにするようになっている。
【００２７】
複数の接触突起５の先端は、半球状に形成されており、安全センサＡ１に対して点接触状に接触するようにされている。複数の接触突起５の高さは、高台３がガスコンロＡ上に載置されたときに、安全センサＡ１に接触する高さであるとともに、高台３がガスコンロＡに対して浮かない程度の高さに設定されている。
【００２８】
複数の接触突起５の間は、高台３内側の外側底部１０Ａに作用するガスコンロＡの炎を流通させる流通空間６である。流通空間６は、高台３内側に作用する炎を安全センサＡ１と対向する外側底部１０Ａの面にも効率的に作用させるための空間である。
【００２９】
すなわち、接触突起５が安全センサＡ１に接触していても、ガスコンロＡの炎が複数の接触突起５の間に確保された流通空間６を流通するため、前述の炎を安全センサＡ１と対向する外側底部１０Ａの面に作用させることができる。
【００３０】
接触突起５は、例示した形態（形状、個数）に限られず、安全センサＡ１に対して接触できるとともに、高台３内側の外側底部１０Ａに作用するガスコンロＡの炎を流通させる流通空間６を確保できる形態であればよい。
【００３１】
本実施形態の調理用容器１によると、高台３によってガスコンロＡやテーブル等の載置部分（図示せず）に対して安定よく載置することができる。また、高台３内側の外側底部１０Ａに作用するガスコンロＡの炎が連通部４を介して外側壁部１０Ｂに流れ出るので、前述の炎を調理用容器１に対して部分的に集中させることなく均一に拡げることができる。また、ガスコンロＡの炎を安全センサＡ１と対向する高台３内側の外側底部１０Ａに対しても、流通空間６を介して作用させることができる。したがって、安定して載置可能とした上で、良好な熱伝導性能を備えた調理用容器１を提供できる。
【００３２】
なお、本考案は、例示した実施形態に限定するものではなく、実用新案登録請求の範囲の各項に記載された内容から逸脱しない範囲の構成による実施が可能である。
【符号の説明】
【００３３】
１：調理用容器
３：高台
４：連通部
５：接触突起
６：流通空間
１０Ａ：外側底部
１０Ｂ：外側壁部
Ａ：ガスコンロ
Ａ１：安全センサ
【図１】
0003155008.tif 000003
【図２】
0003155008.tif 000004
【手続補正書】
【提出日】平成21年8月24日(2009.8.24)
【手続補正１】
【補正対象書類名】実用新案登録請求の範囲
【補正対象項目名】請求項５
【補正方法】変更
【補正の内容】
【請求項５】
前記外側底部の中央に、ガスコンロに備えられた安全センサに接触する接触突起が備えられていることを特徴とする請求項１乃至４いずれか１項に記載の調理用容器。